(57)【特許請求の範囲】
【請求項１】
録画機能付きテレビジョン搭載携帯電話装置において、
テレビジョン放送の受信レベルを測定する手段と、
測定した前記受信レベルと予め定めた基準レベルとを比較し、前記テレビジョン放送の録画中に、前記受信レベルが前記基準レベルよりも低くなった場合に、前記テレビジョン放送の録画を停止し、前記テレビジョン放送の録画停止中に、前記受信レベルが前記基準レベル以上となった場合に、前記テレビジョン放送の録画を再開する録画制御手段と、
テレビジョン放送の受信中に、前記携帯電話装置の位置情報と受信している前記テレビジョン放送のチャンネル情報とを含むパケットデータをサーバーに送信し、前記サーバーから前記パケットデータで特定される位置及びチャンネルに対応する受信レベルマップ情報を受信する手段と、
前記受信レベルマップ情報に基づいて、受信レベルが高い位置を表示又は鳴音の少なくとも一方で告知する手段と、を少なくとも備えることを特徴とする録画機能付きテレビジョン搭載携帯電話装置。
【請求項２】
録画機能付きテレビジョン搭載携帯電話装置と、テレビジョン放送の受信レベルマップ情報を提供するサーバーとがネットワークを介して接続されてなるテレビジョン放送利用システムにおいて、
前記携帯電話装置に、
前記テレビジョン放送の受信中に、前記携帯電話装置の位置情報と受信している前記テレビジョン放送のチャンネル情報とを含むパケットデータを前記サーバーに送信し、前記サーバーから前記パケットデータで特定される位置及びチャンネルに対応する受信レベルマップ情報を受信する手段と、
前記受信レベルマップ情報に基づいて、受信レベルが高い位置を表示又は鳴音の少なくとも一方で告知する手段と、を少なくとも備え、
前記サーバーに、
前記携帯電話装置から前記パケットデータを受信する手段と、
前記パケットデータを解析する手段と、
前記パケットデータで特定される位置及びチャンネルに対応する受信レベルマップ情報を作成する手段と、
前記受信レベルマップ情報を前記携帯電話装置に送信する手段と、を少なくとも備えることを特徴とするテレビジョン放送利用システム。
【請求項３】
録画機能付きテレビジョン搭載携帯電話装置と、テレビジョン放送の受信レベルマップを提供するサーバーとがネットワークを介して接続されてなるテレビジョン放送利用システムにおけるテレビジョン放送の録画制御方法であって、
前記携帯電話装置が、テレビジョン放送の受信レベルを測定するステップと、
前記携帯電話装置が、測定した前記受信レベルと予め定めた基準レベルとを比較するステップと、
前記携帯電話装置が、前記テレビジョン放送の録画中に、前記受信レベルが前記基準レベルよりも低くなった場合に、前記テレビジョン放送の録画を停止し、前記テレビジョン放送の録画停止中に、前記受信レベルが前記基準レベル以上となった場合に、前記テレビジョン放送の録画を再開する録画制御ステップと、
前記携帯電話装置が、テレビジョン放送の受信中に、前記携帯電話装置の位置情報と受信している前記テレビジョン放送のチャンネル情報とを含むパケットデータを前記サーバーに送信するステップと、
前記サーバーが、前記パケットデータを受信、解析し、前記パケットデータで特定される位置及びチャンネルに対応する受信レベルマップ情報を作成し、前記受信レベルマップ情報を前記携帯電話装置に送信するステップと、
前記携帯電話装置が、前記受信レベルマップ情報を受信し、前記受信レベルマップ情報に基づいて、受信レベルの高い位置を表示又は鳴音の少なくとも一方で告知するステップと、を少なくとも有することを特徴とするテレビジョン放送の録画制御方法。
【発明の詳細な説明】
【技術分野】
【０００１】
本発明は、録画機能付きテレビジョン搭載携帯電話装置及びテレビジョン放送利用システム並びにテレビジョン放送録画制御方法に関する。
【背景技術】
【０００２】
近年、テレビジョン放送を受信することができるテレビジョン搭載の携帯電話装置が販売されており、更に短時間の簡易的な録画が可能な録画機能を有するテレビジョン搭載の携帯電話装置も販売されている。また、昨今、地上波デジタルテレビジョン放送も本格的なサービスが始まる段階にきており、移動する携帯電話装置でも表示ノイズ等が少ない鮮明な画像が受信できるようになってきている。
【０００３】
上記テレビジョン搭載の携帯電話装置の一例として、例えば、下記特許文献１には、基地局から受信した位置情報を基に地域チャネル記憶部に対して地域コードを照合し、受信可能なチャネルを表示部に表示することにより、地域ごとのチャネル切替を自動的に行うことが可能な携帯端末装置が開示されている。
【０００４】
【特許文献１】特開２００３−３０９７７４号公報（第３−４頁、第１図）
【発明の開示】
【発明が解決しようとする課題】
【０００５】
しかしながら、テレビジョン搭載の携帯電話装置において、ユーザが移動する場所が常に安定したテレビジョン放送が見られる受信レベルとは限らないため、録画したテレビジョン放送がノイズ等で見られなくなり、録画が無駄になってしまうという問題があった。
【０００６】
また、そのような場合には、テレビジョン放送の受信レベルが高い場所に移動する必要があるが、従来は、テレビジョン放送の受信レベルが高い場所をリアルタイムでユーザに提供する手段が存在しないため、テレビジョン搭載の携帯電話装置を有効に利用することができないという問題があった。
【０００７】
本発明は、上記問題点に鑑みてなされたものであって、その第１の目的は、無駄な録画を防止することができる録画機能付きテレビジョン搭載携帯電話装置及びテレビジョン放送録画制御方法を提供することにある。
【０００８】
また、本発明の第２の目的は、画質のよい録画を可能にする録画機能付きテレビジョン搭載携帯電話装置及びテレビジョン放送利用システム並びにテレビジョン放送録画制御方法を提供することにある。
【課題を解決するための手段】
【０００９】
上記目的を達成するため、本発明は、録画機能付きテレビジョン搭載携帯電話装置において、テレビジョン放送の受信レベルを測定する手段と、測定した前記受信レベルと予め定めた基準レベルとを比較し、前記テレビジョン放送の録画中に、前記受信レベルが前記基準レベルよりも低くなった場合に、前記テレビジョン放送の録画を停止し、前記テレビジョン放送の録画停止中に、前記受信レベルが前記基準レベル以上となった場合に、前記テレビジョン放送の録画を再開する録画制御手段と、テレビジョン放送の受信中に、前記携帯電話装置の位置情報と受信している前記テレビジョン放送のチャンネル情報とを含むパケットデータをサーバーに送信し、前記サーバーから前記パケットデータで特定される位置及びチャンネルに対応する受信レベルマップ情報を受信する手段と、前記受信レベルマップ情報に基づいて、受信レベルが高い位置を表示又は鳴音の少なくとも一方で告知する手段と、を少なくとも備えるものである。
【００１１】
また、本発明は、録画機能付きテレビジョン搭載携帯電話装置と、テレビジョン放送の受信レベルマップ情報を提供するサーバーとがネットワークを介して接続されてなるテレビジョン放送利用システムにおいて、前記携帯電話装置に、前記テレビジョン放送の受信中に、前記携帯電話装置の位置情報と受信している前記テレビジョン放送のチャンネル情報とを含むパケットデータを前記サーバーに送信し、前記サーバーから前記パケットデータで特定される位置及びチャンネルに対応する受信レベルマップ情報を受信する手段と、前記受信レベルマップ情報に基づいて、受信レベルが高い位置を表示又は鳴音の少なくとも一方で告知する手段と、を少なくとも備え、前記サーバーに、前記携帯電話装置から前記パケットデータを受信する手段と、前記パケットデータを解析する手段と、前記パケットデータで特定される位置及びチャンネルに対応する受信レベルマップ情報を作成する手段と、前記受信レベルマップ情報を前記携帯電話装置に送信する手段と、を少なくとも備えるものである。
【００１２】
また、本発明は、録画機能付きテレビジョン搭載携帯電話装置と、テレビジョン放送の受信レベルマップを提供するサーバーとがネットワークを介して接続されてなるテレビジョン放送利用システムにおけるテレビジョン放送の録画制御方法であって、前記携帯電話装置が、テレビジョン放送の受信レベルを測定するステップと、前記携帯電話装置が、測定した前記受信レベルと予め定めた基準レベルとを比較するステップと、前記携帯電話装置が、前記テレビジョン放送の録画中に、前記受信レベルが前記基準レベルよりも低くなった場合に、前記テレビジョン放送の録画を停止し、前記テレビジョン放送の録画停止中に、前記受信レベルが前記基準レベル以上となった場合に、前記テレビジョン放送の録画を再開する録画制御ステップと、前記携帯電話装置が、テレビジョン放送の受信中に、前記携帯電話装置の位置情報と受信している前記テレビジョン放送のチャンネル情報とを含むパケットデータを前記サーバーに送信するステップと、前記サーバーが、前記パケットデータを受信、解析し、前記パケットデータで特定される位置及びチャンネルに対応する受信レベルマップ情報を作成し、前記受信レベルマップ情報を前記携帯電話装置に送信するステップと、前記携帯電話装置が、前記受信レベルマップ情報を受信し、前記受信レベルマップ情報に基づいて、受信レベルの高い位置を表示又は鳴音の少なくとも一方で告知するステップと、を少なくとも有するものである。
【００１４】
このように、本発明では、受信レベルが基準レベル以上の場合にのみテレビジョン放送が録画されるため、無駄な録画を防止することができる。また、サーバーから送信される受信レベルマップ情報に基づいて受信レベルの高い位置が告知されるため、ユーザを受信レベルの高い位置に誘導することができ、画質のよい録画を行うことができる。
【発明の効果】
【００１５】
本発明の録画機能付きテレビジョン搭載携帯電話装置及びテレビジョン放送利用システム並びにテレビジョン放送録画制御方法によれば、下記記載の効果を奏する。
【００１６】
本発明の第１の効果は、無駄な録画を防止することができるということである。その理由は、携帯電話装置に、テレビチューナ部から出力されるテレビジョン放送の受信レベルを測定する手段と、測定した受信レベルと予め定めた基準レベルとを比較し、録画中に、受信レベルが基準レベルよりも低くなった場合に、録画を停止すると共にその旨を表示又は音又はその双方でユーザに告知し、録画停止中に、受信レベルが基準レベル以上となった場合に、録画を再開すると共にその旨を表示又は音又はその双方でユーザに告知する手段とを備えているからである。
【００１７】
また、本発明の第２の効果は、画質のよい録画が可能になるということである。その理由は、携帯電話装置に、位置情報とテレビチャンネル情報とを含むパケットデータを送信し、サーバーからパケットデータで特定される位置及びチャンネルに対応する受信レベルマップ情報を受信する手段と、受信レベルマップ情報に基づいて受信レベルの高い位置を表示又は音又はその双方でユーザに告知する手段とを備え、ユーザを受信レベルが高い位置に誘導することができるからである。
【発明を実施するための最良の形態】
【００１８】
本発明の録画機能を有するテレビジョン搭載の携帯電話装置は、その好ましい一実施の形態において、テレビジョン放送の受信レベルを測定する手段と、測定した受信レベルと予め定めた基準レベルとを比較し、テレビジョン放送の録画中に、受信レベルが基準レベルよりも低くなった場合に、テレビジョン放送の録画を停止すると共に、録画を停止する旨を表示又は鳴音の少なくとも一方で告知し、テレビジョン放送の録画停止中に、受信レベルが基準レベル以上となった場合に、テレビジョン放送の録画を再開すると共に、録画を再開する旨を表示又は鳴音の少なくとも一方で告知する録画制御手段と、テレビジョン放送の受信中に、前記携帯電話装置の位置情報と受信している前記テレビジョン放送のチャンネル情報とを含むパケットデータをサーバーに送信し、前記サーバーから前記パケットデータで特定される位置及びチャンネルに対応する受信レベルマップ情報を受信する手段と、受信レベルマップ情報に基づいて、受信レベルが高い位置を表示又は鳴音の少なくとも一方で告知する手段とを少なくとも備える。
【００１９】
このように、テレビ録画中にテレビジョン放送の受信レベルを測定し、ノイズ等で表示できない受信レベルとなった場合、テレビ録画を停止すると共に、その旨を表示又は音又はその双方でユーザに告知し、また、録画停止中にテレビジョン放送の受信レベルが復帰した場合は、テレビ録画を再開すると共に、その旨を表示又は音又はその双方でユーザに告知することにより、無駄な録画を防止することができる。
【００２０】
また、位置情報とチャンネル情報とを含むパケットデータをサーバーに送信し、ユーザが使用する場所及びチャンネルにおけるテレビジョン放送の受信レベルマップ情報をサーバーから取得し、受信レベルマップ情報に基づいて受信レベルがより良い場所をユーザに告知することにより、ユーザを受信レベルの高い位置に誘導することができ、画質のよい録画を行うことができる。
【実施例】
【００２１】
上記した本発明の実施の形態についてさらに詳細に説明すべく、本発明の一実施例に係る録画機能付きテレビジョン搭載携帯電話装置及びテレビジョン放送利用システム並びにテレビジョン放送録画制御方法について、図１乃至図６を参照して説明する。図１は、本実施例に係る録画機能を有するテレビジョン搭載の携帯電話装置の構造を示すブロック図であり、図２は、テレビジョン放送の受信レベルマップを利用するシステムの構成例を示す図である。図３、図４及び図６は、本実施例の携帯電話装置の処理の手順を示すフローチャート図であり、図５は、本実施例のサーバーの処理の手順を示すフローチャート図である。
【００２２】
図１に示すように、本実施例の携帯電話装置は、携帯電話の基地局より送信される情報を受信する無線部１及びアンテナ８と、テレビジョン放送を受信するテレビチューナ部２及びアンテナ９と、テレビジョン放送や後述する告知情報、受信レベルマップ情報などを表示する表示部４と、位置情報を取得するＧＰＳ（Global Positioning System）５と、録画したテレビジョン放送を記憶するテレビ録画メモリ部６と、音声や後述する告知情報、受信レベルマップ情報などを出力するスピーカ部７と、各種操作を行う操作部１０と、時刻を取得する時計部１１と、上記各手段を制御する制御部３などで構成されている。
【００２３】
また、制御部３には、テレビチューナ部２及びアンテナ９で受信したテレビジョン放送の受信レベルを測定する手段と、測定した受信レベルと予め定めた基準レベルとを比較して、録画の停止／再開や情報の告知の制御を行う手段と、ＧＰＳ５で取得した位置情報とテレビチューナ部２で設定したチャンネル情報と必要に応じて測定した受信レベルとをパケットデータとして送信し、サーバーから受信レベルマップ情報を受信する手段と、受信レベルマップ情報に基づいて受信レベルの高い位置を表示部４やスピーカ部７でユーザに告知する手段とを備えている。
【００２４】
また、図２に示すように、各々の携帯電話装置は携帯電話ネットワーク１３を介して、テレビジョン放送の受信レベルマップを提供するサーバー１２に接続されている。このサーバー１２には、各々の携帯電話装置から送信されるパケットデータを受信する手段と、受信したパケットデータを解析する手段と、各地域のチャネル毎の受信レベルマップ情報を記憶する手段と、受信レベルマップ情報を要求した携帯電話装置に対して、該携帯電話装置がいる地域の特定のチャンネルの受信レベルマップ情報を作成する手段と、その受信レベルマップ情報を携帯電話装置に送信する手段とを備えている。
【００２５】
なお、図１の構成は例示であり、上記以外の他の手段を備えていてもよい。また、図２におけるサーバー１２は受信レベルマップ情報を提供するための専用のサーバーとしてもよいし、携帯電話装置に各種情報を提供するサーバーと兼用してもよい。
【００２６】
次に、図３を参照して本実施例の携帯電話装置の動作について説明する。図３は、本実施例の録画機能を有するテレビジョン搭載の携帯電話装置におけるテレビジョン放送の受信レベル状態による録画制御の手順を示すフローチャートである。
【００２７】
まず、テレビジョン放送の録画が開始されると、テレビチューナ部２より出力されるテレビ映像及び音声のデータは、制御部３を介してテレビ録画メモリ部６に逐次保存される。このとき、ステップＳ１０１で、制御部３は、テレビチューナ部２より出力されるテレビジョン放送の受信レベルが低下しているか否かを判定する。具体的には、テレビチューナ部２より出力されるテレビジョン放送の受信レベルを測定し、測定した受信レベルと予め定めた基準レベルとの比較を行い、受信レベルが基準レベルよりも低いか、受信レベルが基準レベル以上であるかを判定する。
【００２８】
そして、判定の結果、受信レベルが基準レベル以上の場合、ステップＳ１０２で録画終了時間か否かを判定し、録画終了時間となった場合は録画を終了する。また、録画終了時間で無い場合は、ステップＳ１０１に戻って、再度、受信レベルが低下しているか否かを判定する。
【００２９】
また、判定の結果、テレビジョン放送の受信レベルが基準レベルよりも低い場合は、ステップＳ１０３で、制御部３は、テレビ録画メモリ部６への保存を一時停止し、ステップＳ１０４で、テレビ録画を一時停止する旨を表示部４に表示し、表示と共に又は表示に代えて、スピーカ部６を鳴音させ、ユーザに告知する。上記表示の方法は特に限定されず、その旨を文字で表示してもよいし、記号などで表示してもよい。また、鳴音の方法も特に限定されず、その旨を音声で出力してもよいし、ブザーやチャイムなどを鳴らせてもよい。
【００３０】
次に、ステップＳ１０５で、制御部３は、テレビ録画一時停止状態でテレビジョン放送の受信レベルが復帰しているか否かを判定する。そして、受信レベルが復帰していない場合（すなわち、受信レベルが基準レベルよりも低い場合）、ステップＳ１０６で、録画終了時間か否かを判定し、録画終了時間となった場合は録画を終了する。また、録画終了時間で無い場合は、ステップＳ１０５に戻って、再度、受信レベルが復帰しているか否かを判定する。
【００３１】
また、判定の結果、テレビジョン放送の受信レベルが復帰している場合（すなわち、受信レベルが基準レベル以上の場合）は、ステップＳ１０７で、制御部３は、テレビ録画の一時停止を解除し、ステップＳ１０８で、テレビ録画の一時停止を解除する旨を表示部４に表示し、表示と共に又は表示に代えて、スピーカ部６を鳴音させ、ユーザに告知する。
【００３２】
このように、テレビジョン放送の録画中に受信レベルを測定し、測定した受信レベルと予め定めた基準レベルとの比較結果に基づいて録画の停止／再開を制御すると共に、録画の停止／再開を表示部４の表示やスピーカ部７の鳴音でユーザに告知することにより、無駄な録画を防止することができ、また、ユーザは録画が停止したことや録画が再開されたことを確実に知ることができる。
【００３３】
上記方法で、受信レベルが低い場所における無駄な録画を防止することができるが、その場所にいる限り録画を行うことができない。そこで、そのような場合でも画質のよい録画を実行できるようにするためにユーザを受信レベルが高い位置に誘導する方法について、図４乃至図６を参照して説明する。図４は、本実施例の携帯電話装置がサーバーにパケットデータを送信する手順を示すフローチャートであり、図５は、本実施例のサーバーが携帯電話装置に受信レベルマップ情報を送信する手順を示すフローチャートである。また、図６は、受信レベルマップ情報を受信した携帯電話装置の動作を示すフローチャート図である。
【００３４】
図４に示すように、待ち受けより、ステップＳ２０１で、制御部３は時計部１１のタイマーをスタートさせ、ステップＳ２０２で、タイマーアップしたかどうか（予め定めた時間が経過したかどうか）を判定し、タイマーアップした場合、ステップＳ２０３で、テレビチューナ部２がオンかどうかを判定する。テレビチューナ部２がオフの場合は、待ち受けに戻り、ステップＳ２０１で再度タイマースタートを行う。
【００３５】
また、テレビチューナ部２がオンの場合は、ステップＳ２０４で、制御部３は、テレビチューナ部２より出力される受信レベルを測定し、ステップＳ２０５で、ＧＰＳ５で位置情報を測位する。そして、ステップＳ２０６で、制御部３はパケットデータを作成し、そのパケットデータをサーバー１２にパケット送信する。このパケットデータは、受信レベルが低い場合（受信レベルが基準レベルよりも低い場合）は、ＧＰＳ５で測定した位置情報とテレビチューナ部２で設定されたチャネル情報とを含み、受信レベルが高い場合（受信レベルが基準レベル以上の場合）は、制御部３で測定した受信レベルとＧＰＳ５で測定した位置情報とテレビチューナ部２で設定されたチャネル情報とを含むように構成される。
【００３６】
一方、サーバー１２の動作は図５に示すようになり、まず、ステップＳ３０１で、パケットデータを受信したかどうかを判定し、パケットデータを受信した場合は、ステップＳ３０２で、パケットデータの解析を行う。そして、ステップＳ３０３で、受信したパケットデータが受信レベル定期報告か否かを判定し、受信レベル定期報告の場合（すなわち、パケットデータが受信レベルと位置情報とチャネル情報とで構成されている場合）は、ステップＳ３０４で、その地域及びチャンネルの受信レベルマップを作成する。また、受信レベル定期報告でない場合は、ステップＳ３０５で、テレビジョン搭載の携帯電話装置からの受信レベルマップ要求かどうかを判定し、受信レベルマップ要求の場合（すなわち、パケットデータが位置情報とチャネル情報とで構成されている場合）は、ステップＳ３０６で、携帯電話装置にその地域及びチャンネルの受信レベルマップ情報を送信する。
【００３７】
そして、携帯電話装置では、図６に示すように、ステップＳ４０１で、サーバー１２からの受信レベルマップ情報を受信し、ステップＳ４０２で、受信した受信レベルマップ情報に基づいて、受信レベルが高い位置を表示部４に表示し、表示と共に又は表示に代えて、スピーカ部７を鳴音させ、ユーザを受信レベルの高い場所に誘導する。なお、上記表示方法は特に限定されず、受信レベルの高い地域を文字で表示してもよいし、受信レベルに応じて表示を変化（例えばアンテナの本数を変化）させてもよいし、受信レベルの高低を表示した地図を表示してもよい。また、鳴音の方法も特に限定されず、受信レベルの高い地域を音声で知らせてもよいし、受信レベルに応じて音を変化（例えば受信レベルに応じて発信音の間隔を変化）させてもよい。
【００３８】
図２は受信レベルの異なる地域における携帯電話装置とサーバー１２とのデータのやりとりを示している。図２に示すように、Ａ地域にあるテレビ録画中のＡ端末は受信レベル良好のため、テレビジョン放送の受信レベル定期報告（位置情報、受信レベル、テレビチャネル情報）をサーバー１２に送信し、その受信レベルの定期報告より、サーバー１２側は受信レベルマップの作成を行う。また、Ｂ地域にあるテレビ未起動のＢ端末は、サーバー１２側との通信は行わない。また、Ｃ地域にあるテレビ録画中のＡ端末は受信レベル悪化のため、サーバー１２側に受信レベルマップ要求（位置情報、テレビチャネル情報）を行い、サーバー１２側はそれに応答し、このパケットデータで特定される位置及びチャンネルの受信レベルマップをＣ端末に送信し、Ｃ端末は受信したテレビジョン放送の受信レベルマップから、受信レベルが良い場所を見つけることができる。
【００３９】
このように、サーバー１２から受信レベルマップ情報を取得し、その受信レベルマップ情報に基づいて、受信レベルの高い位置を表示部４やスピーカ部７で告知することにより、ユーザを受信レベルの高い場所に誘導することができるため、画質の高い録画を可能にすることができる。
【００４０】
なお、上記説明ではＧＰＳ５により測位を実施したが、Ｃｅｌｌ−ＩＤ測位を用いることもできる。この場合は、携帯電話装置にＧＰＳ５を搭載する必要はなく、基地局との間の通信でセルを識別する情報を取得すればよい。
【産業上の利用可能性】
【００４１】
本発明は、テレビジョン放送を受信する機能と、受信したテレビビジョン放送を録画する機能とを備える任意の携帯機器全般に適用することができる。
【図面の簡単な説明】
【００４２】
【図１】本発明の一実施例に係る携帯電話装置の構成を示すブロック図である。
【図２】本発明の一実施例に係るテレビジョン放送の受信レベルマップ情報を利用するシステムの構成例を示す図である。
【図３】本発明の一実施例に係る携帯電話装置におけるテレビジョン放送の受信レベル状態による録画制御の手順を示すフローチャート図である。
【図４】本発明の一実施例に係る携帯電話装置におけるパケットデータの送信手順を示すフローチャート図である。
【図５】本発明の一実施例に係るサーバーにおける受信レベルマップ情報の送信手順を示すフローチャート図である。
【図６】本発明の一実施例に係る携帯電話装置における受信レベルマップ情報の利用手順を示すフローチャート図である。
【符号の説明】
【００４３】
１  無線部
２  テレビチューナ部
３  制御部
４  表示部
５  ＧＰＳ
６  テレビ録画メモリ部
７  スピーカ
８  携帯電話アンテナ
９  テレビアンテナ
１０  操作部
１１  時計部
１２  サーバー
１３  携帯電話ネットワーク
【図１】
0004803484.tif 000002
【図２】
0004803484.tif 000003
【図３】
0004803484.tif 000004
【図４】
0004803484.tif 000005
【図５】
0004803484.tif 000006
【図６】
0004803484.tif 000007